(57)【特許請求の範囲】
【請求項１】
ＦＢＧ（光ファイバブラッグ回折格子）を取り付けた起歪体を備え、測定すべき物理量の変化を前記起歪体のひずみに変換し、このひずみを前記ＦＢＧで検知するようにしたＦＢＧ式変換器において、
前記起歪体を円弧形状の金属帯で構成し、該金属帯の両端間の切欠き部を通る前記円弧形状の直径方向をＸ軸方向、Ｘ軸方向に直交する前記円弧形状の直径方向をＹ軸方向として、前記金属帯のＹ軸方向両側部をＹ軸方向の自由度を持つように支持し、前記金属帯の前記切欠き部とは反対側のＸ軸方向部分に設けた入力部に測定すべき物理量の変化に応じた外力を作用させると共に、
中間に前記ＦＢＧを形成した光ファイバを、前記ＦＢＧが前記切欠き部に張り渡されるように、前記ＦＢＧの両側の固定部において前記金属帯の両端に固定し、これら固定部に連続する前記光ファイバの部分を前記金属帯の側縁に沿って輪を描くように取り回すことを特徴とするＦＢＧ式変換器。
【請求項２】
Ｙ軸方向に弾性的に開閉自在な二股形状の支持部材を設け、該支持部材に前記金属帯のＹ軸方向両側部を連結することを特徴とする請求項１記載のＦＢＧ式変換器。
【請求項３】
Ｙ軸方向に弾性変形自在な一対の支持部材をＹ軸方向に対向させて設け、該両支持部材に前記金属帯のＹ軸方向両側部を連結することを特徴とする請求項１記載のＦＢＧ式変換器。
【請求項４】
測定すべき物理量は圧力であり、この圧力の変化に応じてＸ軸方向に変位する受圧部材を設け、該受圧部材を前記入力部に連結することを特徴とする請求項１〜３のいずれか１項に記載のＦＢＧ式変換器。
【発明の詳細な説明】
【０００１】
【発明の属する技術分野】
本発明は、ＦＢＧ（光ファイバブラッグ回折格子）を取り付けた起歪体を備え、水圧等の測定すべき物理量の変化を起歪体のひずみに変換し、このひずみをＦＢＧで検知するようにしたＦＢＧ式変換器に関するものである。
【０００２】
【従来の技術】
ＦＢＧは、光ファイバ中を光波が伝搬しているとき、ブラッグ波長と呼ばれる或る特定の波長の光を反射する機能を持った光ファイバである。ＦＢＧのブラッグ波長は、ＦＢＧに作用する張力に応じて変化する性質がある。そのため、ＦＢＧは、例えばひずみ検知素子として利用できる。
【０００３】
そして、このようなＦＢＧを用いた変換器として図６に示すものが知られている（特開２０００−２８４５６号公報参照）。この変換器は、円環状の金属帯から成る起歪体ａを備えており、この起歪体ａにその所定の直径方向に延在する保護チューブｂを取り付けて、中間にＦＢＧを形成した光ファイバｃを保護チューブｂにＦＢＧが中央に位置するように挿通し、保護チューブｂの両端部に光ファイバｃを接着固定している。そして、測定すべき物理量の変化に応じた外力を前記直径方向に直交する方向から起歪体ａに作用させ、起歪体ａに外力の作用方向に押し潰されるようなひずみ、即ち、ＦＢＧの張力が増すようなひずみを生じさせて、このひずみをＦＢＧで検知するように構成されている。ここで、例えば水圧により起歪体ａが上記の如くひずむようにしておけば、変換器をボーリング孔内の地下水中に沈めて、地下水位を計測することができる。
【０００４】
尚、光ファイバｃは、起歪体ａを収納する変換器本体の一端から外部に導出されてブラッグ波長の測定器に接続されるが、破断防止のため変換器本体内で光ファイバｃに或る程度の弛みを付けることが必要になる。そのため、光ファイバｃを保護チューブｂからの引き出し部分において輪を描くように取り回して、変換器本体の一端に導いている。
【０００５】
【発明が解決しようとする課題】
ところで、光ファイバは、破断防止のためにきつく折り曲げることができず、所定値（約２５ｍｍ）以上の曲率半径で湾曲させることが必要になる。そのため、上記従来例のものでは、光ファイバｃの輪状の取り回し部分が起歪体ａの側方に大きく張り出し、この張り出しによって変換器の横幅が大きくなる。その結果、地下水位を計測する場合、ボーリング孔の径を大きくせざるを得ず、経費が高くなる。
【０００６】
本発明は、以上の点に鑑み、光ファイバの輪状の取り回し部分による寸法増加を抑制して小型化を図れるようにしたＦＢＧ式変換器を提供することをその課題としている。
【０００７】
【課題を解決するための手段】
上記課題を解決するために、本発明は、ＦＢＧ（光ファイバブラッグ回折格子）を取り付けた起歪体を備え、測定すべき物理量の変化を前記起歪体のひずみに変換し、このひずみを前記ＦＢＧで検知するようにしたＦＢＧ式変換器において、前記起歪体を円弧形状の金属帯で構成し、該金属帯の両端間の切欠き部を通る前記円弧形状の直径方向をＸ軸方向、Ｘ軸方向に直交する前記円弧形状の直径方向をＹ軸方向として、前記金属帯のＹ軸方向両側部をＹ軸方向の自由度を持つように支持し、前記金属帯の前記切欠き部とは反対側のＸ軸方向部分に設けた入力部に測定すべき物理量の変化に応じた外力を作用させると共に、中間に前記ＦＢＧを形成した光ファイバを、前記ＦＢＧが前記切欠き部に張り渡されるように、前記ＦＢＧの両側の固定部において前記金属帯の両端に固定し、これら固定部に連続する前記光ファイバの部分を前記金属帯の側縁に沿って輪を描くように取り回すことを特徴とする。
【０００８】
上記の構成によれば、入力部への外力の作用で金属帯がＹ軸方向を長径方向とする楕円状にひずみ、金属帯の両端間の幅、即ち、切欠き部の幅が広がってＦＢＧに作用する張力が増加する。そのため、ＦＢＧを検知素子として金属帯のひずみ、従って、入力部に作用する外力（物理量）を計測できる。
【０００９】
ここで、光ファイバは、従来例のように光ファイバを金属帯の直径方向（Ｙ軸方向）に引き出すものと異なり、金属帯の両端に対する固定部から金属帯の円弧形状に合わせて無理なく湾曲させることができる。従って、金属帯に対するＹ軸方向への張り出しを生ずることなく光ファイバの輪状の取り回し部を配置でき、この取り回し部による寸法増加を抑制して、変換器の小型化を図れる。
【００１０】
ところで、入力部への外力の作用で金属帯がＹ軸方向を長径方向とする楕円状にひずむのは、金属帯のＹ軸方向両側部をＹ軸方向の自由度を持つように支持するためである。金属帯をこのように支持するには、Ｙ軸方向に弾性的に開閉自在な二股形状の支持部材を設けて、該支持部材に金属帯のＹ軸方向両側部を連結し、或いは、Ｙ軸方向に弾性変形自在な一対の支持部材をＹ軸方向に対向させて設け、該両支持部材に金属帯のＹ軸方向両側部を連結すれば良い。
【００１１】
また、本発明の変換器は種々の物理量の計測に利用できる。例えば、水圧等の圧力の変化に応じてＸ軸方向に変位する受圧部材を設け、この受圧部材を金属帯の入力部に連結することにより、圧力を計測することができる。そして、このような変換器をボーリング孔内の地下水中に沈めて、地下水位を計測することもできる。この場合、上記の如く変換器を小型化できるため、ボーリング孔の径は小さくて済み、経費の削減を図れる。
【００１２】
【発明の実施の形態】
本発明の第１実施形態を図１〜図３を参照して説明する。図１はボーリング孔内の地下水中に沈めて地下水位を計測するＦＢＧ式変換器を示している。
【００１３】
図１中、１は上端が閉塞された筒状の変換器本体であり、該本体１の下部には筒部材４が内挿され、この筒部材４の上端に該筒部材４の軸心側に張り出すように形成された仕切板部４ａにより、本体１の内部の空間が仕切板部４ａの上側の主室２と下側の副室３（筒部材４の内部の空間）とに画成されている。主室２に後記詳述する起歪体を収納すると共に、副室３に受圧部材たるベローズ５を仕切板部４ａの下面に密着させた状態で収納している。そして、変換器本体１の下端に螺着されたキャップ６に形成した複数の透孔６ａを介して副室３に導入される水圧によりベローズ５が押し上げられるようにしている。尚、水圧を受ける受圧部材はベローズ５に限られるものではなく、例えば、ダイアフラムであっても良い。また、筒部材４の外周面にＯリング７を装着して、主室２に水が侵入しないようにしている。
【００１４】
起歪体は、図３の分解斜視図で明示するように、円弧形状の金属帯８で構成されている。ここで、金属帯８の両端間の切欠き部８ａを通る円弧形状の直径方向をＸ軸方向、これに直交する円弧形状の直径方向をＹ軸方向とする。このとき、金属帯８は、Ｘ軸方向が上下方向になり、且つ、切欠き部８ａが上方を向く姿勢で主室２に収納されている。主室２には、仕切板部４ａの上面に立設したブラケット９が配置されており、このブラケット９の上端に、金属製の帯材から成るＹ軸方向に弾性的に開閉自在な二股形状の支持部材１０をボルト１１を介して垂設している。そして、この支持部材１０に金属帯８のＹ軸方向両側部をそれぞれボルト１２，１２により連結している。これにより、金属帯８のＹ軸方向両側部は、変換器本体１に対しＹ軸方向の自由度を持って支持され、金属帯８がＹ軸方向を長径方向とする楕円形状にひずみ得るようになる。
【００１５】
金属帯８の切欠き部８ａとは反対側のＸ軸方向部分、即ち、金属帯８の下端部は、該金属帯８に外力を作用させる入力部８ｂとなっており、この入力部８ｂを、ベローズ５の下端から立設したロッド５ａの上部のねじ部にナット１３を介して連結している。この構成によって、水圧によりベローズ５が押し上げられると、入力部８ｂにロッド５ａを介して上方への外力が作用し、金属帯８はＹ軸方向を長径方向とする楕円形状にひずむ。
【００１６】
そして、金属帯８の上記ひずみを検知するため、図２（図１のＡ部の拡大図）に示す如く、中間にＦＢＧ（光ファイバブラッグ回折格子）１４を形成した光ファイバ１５を、ＦＢＧ１４がＹ軸方向に延在して切欠き部８ａに張り渡されるように、ＦＢＧ１４の両側の固定部１５ａ，１５ａにおいて金属帯８の両端に接着剤１６で固定している。金属帯８がＹ軸方向を長径方向とする楕円形状にひずむと、切欠き部８ａの幅が広がってＦＢＧ１４に作用する張力が増し、ＦＢＧ１４のブラッグ波長が変化する。従って、このブラッグ波長を測定することで金属帯８のひずみを検知でき、金属帯８の外力―ひずみ特性から入力部８ｂに作用する外力、即ち、水圧（地下水位）を計測できる。尚、金属帯８の熱膨張に起因するひずみによる変換器の零点の温度影響を小さくするため、金属帯８は線膨張係数の小さな材料、例えば、合金中で線膨張係数が最小（１×１０−６／℃未満）のスーパーインバで形成することが望ましい。
【００１７】
変換器本体１の上端には、上方にのびる一対の保護チューブ１７が液密に取り付けられており、光ファイバ１５を保護チューブ１７に挿通して、ボーリング孔の外部に配置する図外の波長測定器に接続する。尚、主室２は、大気圧変動を補償するため、保護チューブ１７を介して大気側に開放されている。また、保護チューブ１７の先端には、大気中の湿度侵入を防止するため除湿剤室（図示せず）が設けられている。
【００１８】
ところで、光ファイバ１５は、破断防止のため主室２内で或る程度の弛みを付けてから保護チューブ１７に挿通する必要がある。そこで、本実施形態では、ＦＢＧ１４の両側の固定部１５ａ，１５ａに連続する光ファイバ１５の部分を、金属帯８の側縁に沿って少なくとも一重の輪を描くように取り回し、光ファイバ１５に弛みを付けている。ここで、ＦＢＧ１４の両側の固定部１５ａ，１５ａは金属帯８の両端に固定されるため、光ファイバ１５を固定部１５ａから金属帯８の円弧形状に合わせて無理なく湾曲させることができる。従って、金属帯８に対するＹ軸方向への張り出しを生ずることなく光ファイバ１５の輪状の取り回し部１５ｂ（図３参照）を配置でき、変換器の小型化を図れる。そのため、ボーリング孔の径は小さくて済み、経費を削減できる。尚、金属帯８は、光ファイバの湾曲可能な最小曲率半径（約２５ｍｍ）に合わせた半径の円弧形状に形成されている。
【００１９】
以上、水圧（地下水位）を計測する変換器に本発明を適用した実施形態について説明したが、水圧以外の圧力を計測する変換器にも同様に本発明を適用でき、更に、金属帯８の入力部８ｂに被測定物に接触する測定子を連結して、被測定物の変位を計測することもできる。
【００２０】
また、上記実施形態では、金属帯８のＹ軸方向両側部をＹ軸方向の自由度を持って支持するために二股形状の支持部材１０を用いたが、図４に示す第２実施形態のように、Ｙ軸方向に弾性変形自在な金属製の帯材から成る一対の支持部材１８，１８をＹ軸方向に対向させて設け、両支持部材１８，１８に金属帯８のＹ軸方向両側部を連結しても良い。尚、図４に示す第２実施形態では、各支持部材１８をＸ軸方向に延在するものとしたが、各支持部材１８を図５に示す第３実施形態のようにＸ軸およびＹ軸の両軸に直交する方向に延在させても良い。
【００２１】
また、図４、図５に示すものでは、各支持部材１８の一端を拘束して、自由端たる各支持部材１８の他端に金属帯８のＹ軸方向の各側部を連結したが、各支持部材の両端を拘束して、各支持部材の中間に金属帯のＹ軸方向の各側部を連結することも可能である。
【図面の簡単な説明】
【図１】本発明の変換器の第１実施形態を示す縦断面図。
【図２】図１のＡ部の拡大図。
【図３】第１実施形態の要部の分解斜視図。
【図４】第２実施形態の要部の斜視図。
【図５】第３実施形態の要部の斜視図。
【図６】従来例の要部を示す切断正面図。
【符号の説明】
５…ベローズ（受圧部材）、８…金属帯（起歪体）、８ａ…切欠き部、８ｂ…入力部、１０…二股状の支持部材、１４…ＦＢＧ、１５…光ファイバ、１５ａ…固定部、１５ｂ…輪状の取り回し部、１８…一対の支持部材。
【図１】
0003549518.tif 000002
【図２】
0003549518.tif 000003
【図３】
0003549518.tif 000004
【図４】
0003549518.tif 000005
【図５】
0003549518.tif 000006
【図６】
0003549518.tif 000007